(57)【要約】      （修正有）【課題】偽造防止テープが引き剥がされた後、封緘状態が破壊されたことをはっきりと表示できることに加え、依然として被シール物の密封性を保持することができる、即ち、被シール物に二重の保護作用を与える偽造防止テープ、及び偽造防止封緘シートを提供する。【解決手段】  透明又は半透明のプラスチックシートから構成され、対向する第１の表面２１ａと第２の表面２１ｂを有する基材２１と、前記基材２１の第２の表面に形成され、前記基材との間に粘着性を有する材料から構成された印字層２２と、色付きインクから構成され、印字層２２及び基材２１の印字層に覆われない領域に塗布された固着色層２３と、透明又は半透明のフィルムから構成され、前記固着色層の前記基材より離れた一側に粘着された粘膜層２４と、前記粘膜層の前記固着色層より離れた一側に形成され、偽造防止テープを被シール物に貼り付けるための接着層２５と、を備える。【選択図】図２
0003151145.tif 000002
【実用新案登録請求の範囲】
【請求項１】
偽造防止テープであって、
透明又は半透明のプラスチックシートから構成され、対向する第１の表面と第２の表面を有する基材と、
前記基材の第２の表面に形成され、前記基材との間に粘着性を有する材料から構成された印字層と、
色付きインクから構成され、前記印字層及び前記基材の印字層に覆われない領域に塗布された固着色層と、
透明又は半透明のフィルムから構成され、前記固着色層の前記基材より離れた一側に粘着された粘膜層と、
前記粘膜層の前記固着色層より離れた一側に形成され、前記偽造防止テープを被シール物に貼り付けるための接着層と、を備え、
前記印字層に対する前記基材の粘着力は、前記印字層に対する、前記固着色層における前記印字層に貼り付けられた部分の粘着力よりも大きく、前記固着色層における前記基材に貼り付けられた部分に対する前記基材の粘着力は、前記固着色層における前記基材に貼り付けられた部分に対する前記粘膜層の粘着力よりも大きく、
及び、前記固着色層における前記印字層に貼り付けられた部分に対する前記粘膜層の粘着力は、前記固着色層における前記印字層に貼り付けられた部分に対する前記印字層の粘着力よりも大きく、且つ前記粘膜層と、前記固着色層における前記印字層に貼り付けられた部分との間に、１８０度の剥離角度で、１０〜５００ｇ／２．５ｃｍの粘着力を有する、偽造防止テープ。
【請求項２】
前記粘膜層と、前記固着色層における前記印字層に貼り付けられた部分との間に、１８０度の剥離角度で１０〜２００ｇ／２．５ｃｍの粘着力を有する、請求項１に記載の偽造防止テープ。
【請求項３】
前記粘膜層と、前記固着色層における前記印字層に貼り付けられた部分との間に、１８０度の剥離角度で３０〜１８０ｇ／２．５ｃｍの粘着力を有する、請求項２に記載の偽造防止テープ。
【請求項４】
前記粘膜層と、前記固着色層における前記印字層に貼り付けられた部分との間の剥離速度は、２００〜５００ｍｍ／ｍｉｎである、請求項１から３のいずれか１項に記載の偽造防止テープ。
【請求項５】
前記粘膜層と、前記固着色層における前記印字層に貼り付けられた部分との間の剥離速度は、２５０〜３５０ｍｍ／ｍｉｎである、請求項４に記載の偽造防止テープ。
【請求項６】
前記粘膜層と、前記固着色層における前記印字層に貼り付けられた部分との間の剥離速度は、３００ｍｍ／ｍｉｎである、請求項５に記載の偽造防止テープ。
【請求項７】
前記粘膜層は色付きフィルムから構成され、前記粘膜層の色付きフィルムの色は前記固着色層の色とコントラストをなす、請求項１から６のいずれか１項に記載の偽造防止テープ。
【請求項８】
請求項１から７のいずれか１項に記載の偽造防止テープの接着層の粘膜層より離れた一側にさらに粘着防止紙を貼り付けることで製造される、偽造防止封緘シート。
【考案の詳細な説明】
【技術分野】
【０００１】
本考案は、偽造防止テープに関し、特に、物体の封緘状態を表示できる偽造防止テープ、及び偽造防止封緘シートに関する。
【背景技術】
【０００２】
ハイテクノロジーの発展や、消費者における包装の安全性に対する要求の高まりに伴って、偽造防止機能を有する偽造防止紙、偽造防止フィルム、及び偽造防止テープ等は、その製品の特性に応じて、例えば重要書類袋、宅配便袋、現金袋、裁判所証拠物件袋、又は規制医薬品の封緘口、及び証明書類、パッケージ、段ボール、引き出し、セーフティボックス、自動車のレッカー作業などにおいて貼りつけられるシールとして応用されている。
【０００３】
従来の偽造防止テープにおいては、テープの基材の裏面に偽造防止標示を有する塗料層が塗布され、この塗料層に粘着性を有する接着剤が塗布され、塗料層と接着剤との間の粘着力を塗料層と基材との間の粘着力よりも大きくすることで、偽造防止テープが被シール物から引き剥がされた後、塗料層の偽造防止標示が依然として被シール物上に残留され、これによって、被シール物の封緘状態の完全性を識別することができる。
【０００４】
又、塗料層と、粘着剤からなる接着層との間に、さらに粘膜層が形成されることにより、偽造防止テープが被シール物から引き剥がされた後、塗料層の偽造防止標示が封緘状態を表示することに加え、被シール物の密封性も保持することができる。このように、被シール物に対して二重の保護作用を提供する。
【０００５】
しかし、前述の新たに増加した粘膜層は、被シール物に対しより一層の密封性を提供できるが、単純に塗料層と粘着層や基材との間の粘着力の差によって生じる識別用封緘状態をより複雑なものにしている。即ち、塗料層と粘着層との間の粘着力が適当でない場合、塗料層と粘着層が確実に分離されず、識別の効果に影響を及ぼし、封緘状態が破壊されたか否かが不鮮明となる欠陥を生じることがある（図１参照）。従って、如何にして偽造防止テープの識別効果をさらに増進するかが、当業界において克服すべき極めて重要な課題となっている。
【考案の概要】
【考案が解決しようとする課題】
【０００６】
従って、上記の事情に鑑み、本考案の目的は、偽造防止テープが引き剥がされた後、封緘状態が破壊されたことをはっきりと表示できることに加え、依然として被シール物の密封性を保持することができる、即ち、被シール物に二重の保護作用を与える偽造防止テープ、及び偽造防止封緘シートを提供することにある。
【課題を解決するための手段】
【０００７】
上述の目的及びその他の目的を達成するために、本考案は、透明又は半透明のプラスチックシートから構成され、対向する第１の表面と第２の表面を有する基材と、前記基材の第２の表面に形成され、前記基材との間に粘着性を有する材料から構成された印字層と、色付きインクから構成され、前記印字層及び前記基材の印字層に覆われない領域に塗布された固着色層と、透明又は半透明のフィルムから構成され、前記固着色層の前記基材より離れた一側に粘着された粘膜層と、前記粘膜層の前記固着色層より離れた一側に形成され、偽造防止テープを被シール物に貼り付けるための接着層と、を備える偽造防止テープを提供し、前記印字層に対する前記基材の粘着力は、前記印字層に対する、前記固着色層における前記印字層に貼り付けられた部分の粘着力よりも大きく、且つ前記固着色層における前記基材に貼り付けられた部分に対する前記基材の粘着力は、前記固着色層における前記基材に貼り付けられた部分に対する前記粘膜層の粘着力よりも大きく、また、前記固着色層における前記印字層に貼り付けられた部分に対する前記粘膜層の粘着力は、前記固着色層における前記印字層に貼り付けられた部分に対する前記印字層の粘着力よりも大きくすることを特徴とする。
【０００８】
前述の構造において、粘膜層と、固着色層における印字層に貼り付けられた部分との間に、１８０度の剥離角度で１０〜５００ｇ／２．５ｃｍの粘着力を有し、より好ましくは１０〜２００ｇ／２．５ｃｍであり、さらに好ましくは３０〜１８０ｇ／２．５ｃｍである。即ち、０．２９〜１．７６Ｎ／２．５ｃｍに相当する粘着力がより好ましい。又、粘膜層と、固着色層における印字層に貼り付けられた部分との間の剥離速度は、２００〜５００ｍｍ／ｍｉｎであることが望ましく、より好ましくは２５０〜３５０ｍｍ／ｍｉｎであり、さらに好ましくは３００ｍｍ／ｍｉｎである。これによって、固着色層における印字層に貼り付けられた部分は印字層と完全に分離され、粘膜層より剥離しないことから、偽造防止テープの封緘状態をはっきりと識別する効果を得ることができる。
【図面の簡単な説明】
【０００９】
【図１】図１は従来の偽造防止テープが引き剥がされた後の上面図を示す。
【図２】図２は本考案に係る偽造防止テープが被シール物に貼り付けられている状態の横断面図を示す。
【図３Ａ】図３Ａは本考案に係る偽造防止テープが引き剥がされつつある状態の横断面図を示す。
【図３Ｂ】図３Ｂは本考案に係る偽造防止テープが引き剥がされた後の剥離状態の横断面図を示す。
【図４Ａ】図４Ａは本考案に係る偽造防止テープが引き剥がされる前の上面図を示す。
【図４Ｂ】図４Ｂは本考案に係る偽造防止テープが引き剥がされた後、被シール物に残された部分の上面図を示す。
【図４Ｃ】図４Ｃは本考案に係る偽造防止テープが引き剥がされた後の基材部分の上面図を示す。
【図５】図５は本考案に係る偽造防止封緘シートの横断面図を示す。
【考案を実施するための形態】
【００１０】
本考案の目的、技術的特徴、及び効果を理解しやすいように、以下、特定の具体的実施例により本考案の実施形態を説明する。本考案の所属する技術分野において通常の知識を有する者は、本明細書に開示の内容によって本考案の他の利点や効果を容易に理解できる。
【００１１】
図２に示すように、本考案の偽造防止テープ２０の使い方は通常のテープと同じであり、まず適当な長さの偽造防止テープ２０をカットし、それを被シール物２６に貼り付ける。本考案の偽造防止テープ２０は、透明又は半透明のプラスチックシートから構成され、上下に対向する第１の表面２１ａと第２の表面２１ｂを有する基材２１と、基材２１の第２の表面２１ｂに形成され、基材２１との間に粘着性を有する材料から構成されてなる印字層２２と、印字層２２の基材２１より離れた一側及び基材２１の第２の表面２１ｂにおいて印字層２２によって覆われない領域２２０に塗布された固着色層２３と、固着色層２３の基材２１より離れた一側に貼り付けられ、透明又は半透明のフィルムからなる粘膜層２４と、粘膜層２４の固着色層２３より離れた一側に形成され、偽造防止テープ２０を被シール物２６に貼り付けるための接着層２５と、を備えている。印字層２２の材料の色と透明度は基材２１と同じであり、いずれの周知の印刷技術によっても、「ＶＯＩＤ」や「開封済み」といった文字、図案や記号などのテープ剥離確認標示を基材２１の第２の表面２１ｂに印刷することができる。固着色層２３は、印字層２２に貼り付けられた部分２３１と、基材２１に貼り付けられた部分２３２とを含み、基材２１と印字層２２のいずれと比べても色の差異が著しいインクから構成されている。
【００１２】
図３Ａと図３Ｂに示すように、偽造防止テープ２０が引き剥がされると、印字層２２に対する基材２１の粘着力は、印字層２２に対する、固着色層における印字層２２に貼り付けられた部分２３１の粘着力よりも大きいので、印字層２２は基材２１の第２の表面２１ｂに粘着される。しかも、固着色層における基材２１に貼り付けられた部分２３２に対する基材２１の粘着力は、固着色層における基材２１に貼り付けられた部分２３２に対する粘膜層２４の粘着力よりも大きいので、固着色層における基材２１に貼り付けられた部分２３２はまた基材２１の第２の表面２１ｂに同時に粘着されている。又、固着色層における印字層２２に貼り付けられた部分２３１に対する粘膜層２４の粘着力は、固着色層における印字層２２に貼り付けられた部分２３１に対する印字層２２の粘着力よりも大きいので、接着層２５の被シール物２６に対する作用力は、粘膜層２４を介して固着色層における印字層２２に貼り付けられた部分２３１に作用され、固着色層における印字層２２に貼り付けられた部分２３１が印字層２２に対して剥離作用力を生じ、粘膜層２４に貼り付けられたままとなっている。粘膜層２４と、固着色層における印字層２２に貼り付けられた部分２３１との間に、１８０度の剥離角度で１０〜５００ｇ／２．５ｃｍの粘着力を有し、より好ましくは１０〜２００ｇ／２．５ｃｍであり、さらに好ましくは３０〜１８０ｇ／２．５ｃｍである。即ち、０．２９〜１．７６Ｎ／２．５ｃｍに相当する粘着力を有することが好ましい。又、粘膜層２４と、固着色層における印字層２２に貼り付けられた部分２３１との間の剥離速度は、２００〜５００ｍｍ／ｍｉｎであることが望ましく、より好ましくは２５０〜３５０ｍｍ／ｍｉｎであり、さらに好ましくは３００ｍｍ／ｍｉｎである。
【００１３】
図４Ａ乃至図４Ｃは本考案の偽造防止テープの上面図である。まず、図４Ａに示すように（図２と併せて参照）、基材２１と印字層２２はいずれも透明又は半透明の材料から構成されているので、偽造防止テープ２０が引き剥がされる前に、基材２１の第１の表面２１ａから見ると、固着色層２３の色のみを表示し、テープ剥離確認標示を表示していない。しかし、偽造防止テープ２０が引き剥がされた後（図３Ｂ参照）、合法非合法を問わず、固着色層２３が印字層２２に貼り付けられた部分２３１が粘膜層２４に貼り付けられているので、図４Ｂに示すようなすでにテープが引き剥がされていることを示す文字、図案や記号などのテープ剥離確認標示を表示している。これによって偽造防止テープ２０の引き剥がされた状態をはっきりと識別することができる。又、図４Ｃに示すように（図３Ｂと併せて参照）、基材２１の第１の表面２１ａから見ると、基材２１、該基材２１に伴って引き剥がされた印字層２２、及び固着色層が基材２１に貼り付けられた部分２３２は、図４Ｂと対応する白抜き図を呈している。
【００１４】
偽造防止テープ２０は、引き剥がされたことによって封緘状態が破壊されるが、粘膜層２４は依然として接着層２５の作用により被シール物２６に貼り付けられているので、被シール物２６の密封性を保持する。従って、不注意で偽造防止テープ２０を引き剥がしても、依然として被シール物２６の機密性を保持することができる。
【００１５】
本考案の他の具体的実施例において、基材２１は色付き又は半透明のプラスチック材料からなる。この場合、印字層２２の透明度と色はともに限定されていない。しかし、偽造防止テープ２０が引き剥がされた後、その封緘状態をはっきりと識別できるように、固着色層２３と粘膜層２４の色はコントラストをなす必要がある。
【００１６】
又、本考案の他の具体的実施例において（図５参照）、接着層５５の粘膜層５４より離れた一側に粘着防止紙５６を貼り付けることで、偽造防止封緘シート５０をさらに製造する。粘着防止紙５６の目的、作用、及び材質は従来のラベルに使われている粘着防止紙と同じであるため、ここでは説明しない。この具体的実施例に係る偽造防止封緘シート５０の利用方法は通常のテープと同様で、即ち、まず粘着防止紙５６を引き剥がし、そして、偽造防止封緘シート５０を被シール物に貼り付ける。固着色層５３と粘膜層５４との間の粘着力特性によって、偽造防止封緘シート５０が引き剥がされた後、固着色層における印字層に貼り付けられた部分は依然として粘膜層５４の接着層５５より離れた一側に貼り付けられたままであり、これにより被シール物の封緘状態をはっきりと表示する。
【００１７】
上記実施例は本考案の原理及びその効果を例示的に説明し、本考案の実施範囲を限定するものではない。本考案の所属する技術分野において、通常の知識を有する者は本考案の精神や範疇から逸脱しない限り、上記実施例に対して修飾及び変更を行うことが可能である。
【符号の説明】
【００１８】
２０  偽造防止テープ
２１  基材
２１ａ  第１の表面
２１ｂ  第２の表面
２２  印字層
２３、５３  固着色層
２４、５４  粘膜層
２５、５５  接着層
２６  被シール物
５０  偽造防止封緘シート
５６  粘着防止紙
２２０  基材の第２の表面において印字層によって覆われない領域
２３１  固着色層における印字層に貼り付けられた部分
２３２  固着色層における基材に貼り付けられた部分
【図１】
0003151145.tif 000003
【図２】
0003151145.tif 000004
【図３Ａ】
0003151145.tif 000005
【図３Ｂ】
0003151145.tif 000006
【図４Ａ】
0003151145.tif 000007
【図４Ｂ】
0003151145.tif 000008
【図４Ｃ】
0003151145.tif 000009
【図５】
0003151145.tif 000010